(57)【要約】      （修正有）【課題】着脱作業時や外部からの衝撃でディスクがトレイ側に歪曲してデータ記録部分にキズを付けることを低減できる、光ピックアップモジュール及び光ディスク装置を提供する。【解決手段】光ディスクを保持し回転駆動させる回転駆動手段と光ディスクにデータを記録するか光ディスクのデータを読み取るかの少なくとも一方を行う光ピックアップ９を有する光ピックアップモジュール４であって、前記光ピックアップモジュール４はディスクに対向し前記光ピックアップモジュール４の少なくとも一部を覆う光ピックアップモジュールカバー１０を有し、前記光ピックアップモジュールカバー１０は前記回転駆動手段に保持された光ディスクに対して略一定の間隔を有する面と、前記略一定の間隔を有する面よりも前記光ディスク近接した突出部１０ｂを有し、前記突出部１０ｂは前記光ディスクのデータ記録部分以外の部分に対向していることとした。【選択図】図１
2005078770.tif 000002
【特許請求の範囲】
【請求項１】
光ディスクを保持し回転駆動させる回転駆動手段と光ディスクにデータを記録するか光ディスクのデータを読み取るかの少なくとも一方を行う光ピックアップを有する光ピックアップモジュールであって、前記光ピックアップモジュールはディスクに対向する側に前記光ピックアップモジュールの少なくとも一部を覆う光ピックアップモジュールカバーを有し、前記光ピックアップモジュールカバーに、前記回転駆動手段とは反対側の外端部近傍に他の部分よりディスク側に突出した突出部を設けたことを特徴とする光ピックアップモジュール。
【請求項２】
突出部は、装着可能な最大径の光ディスクの、データ記録部分の外縁部のデータ非記録部分に対向していることを特徴とする請求項１記載の光ピックアップモジュール。
【請求項３】
光ピックアップモジュールの突出部と他の部分の境界部が、光ディスク装着方向から見て略円弧状の形状部を有することを特徴とする請求項１記載の光ピックアップモジュール。
【請求項４】
突出部は少なくとも複数の台形状または山状の突出部によって構成されていることを特徴とする請求項１記載の光ピックアップモジュール。
【請求項５】
突出部は光ピックアップモジュールカバーとは別体に構成されており、前記光ピックアップモジュールカバーに固定されていることを特徴とする請求項１から請求項４いずれかに１記載の光ピックアップモジュール。
【請求項６】
光ディスクを保持し回転駆動させる回転駆動手段と光ディスクにデータを記録するか光ディスクのデータを読み取るかの少なくとも一方を行う光ピックアップを有する光ピックアップモジュールであって、前記光ピックアップモジュールはディスクに対向する側に前記光ピックアップモジュールの少なくとも一部を覆う光ピックアップモジュールカバーを有し、前記光ピックアップモジュールカバーにディスク側の方へ突出した突出部を設けたことを特徴とする光ピックアップモジュール。
【請求項７】
請求項１から請求項６いずれかに１記載の光ピックアップモジュールを備えたことを特徴とする光ディスク装置。
【発明の詳細な説明】
【技術分野】
【０００１】
本発明は光ディスクにデータを記録するか光ディスクのデータを読み取るかの少なくとも一方を行う光ピックアップモジュール及び光ピックアップモジュールを備えパーソナルコンピュータ等の電子機器に内蔵もしくは外付けで使用される光ディスク装置に関する。
【背景技術】
【０００２】
図６は従来の光ディスク装置の斜視図である。
【０００３】
図６において、光ディスク装置１には筐体２及びトレイ３があり、トレイ３には光ピックアップモジュール４及びベゼル５が構成されている。図６は筐体２からトレイ３を引き出した状態を示している。トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱出来るよう引き出すことが出来る。光ピックアップモジュール４には光学系を構成した光ピックアップ９とディスクを回転させるスピンドルモータ４ａが設けられている。また、光ピックアップモジュール４のディスク側表面には光ピックアップモジュールカバー１０が設けられており、光ピックアップモジュールカバー１０の窓部１０ａから光ピックアップ９が露出している。スピンドルモータ４ａにはディスク装着部４ｂがあり、ディスクを装着し回転駆動させる。ディスク装着部４ｂにディスクを装着するとディスクはディスク装着部４ｂの係止部で係止固定される。トレイ３や光ピックアップモジュール４のディスクに対向する面とディスク面との間には、ディスク面に接触してディスク面に傷を付けることがないように間隔が設けられている。さらに、このような間隔が設けられているにもかかわらず着脱作業時や外部からの衝撃でディスクが歪曲し、トレイ３や光ピックアップモジュール４のディスクに対向する面とディスクのデータ記録部分が接触することを回避する為に、ディスクのデータ記録部分を避けて、トレイ３のディスク外縁部に対向する部分に突出部１２を設ける場合もある。
【０００４】
先行例としては、（特許文献１）（特許文献２）等がある。
【特許文献１】特開昭５６−１９５６５号公報
【特許文献２】特開２００１−１１００７９号公報
【発明の開示】
【発明が解決しようとする課題】
【０００５】
着脱作業時や外部からの衝撃でディスクがトレイ３側に歪曲してデータ記録部分にキズを付け易いのは、通常金属部品である光ピックアップモジュールカバー１０の窓部１０ａの端部や光ピックアップ９を構成する金属部品端部との接触である。しかしながら従来例にあるディスクのデータ記録部分を保護する為の突出部１２は、これらの部分に最も近い位置に設けられておらず、ディスクとの接触によるキズを防ぐに有効なものとは言い難い。
【課題を解決するための手段】
【０００６】
このような課題を解決する為に本発明の光ピックアップモジュールは、光ディスクを保持し回転駆動させる回転駆動手段と光ディスクにデータを記録するか光ディスクのデータを読み取るかの少なくとも一方を行う光ピックアップを有する光ピックアップモジュールであって、前記光ピックアップモジュールはディスクに対向し前記光ピックアップモジュールの少なくとも一部を覆う光ピックアップモジュールカバーを有し、前記光ピックアップモジュールカバーは前記回転駆動手段に保持された光ディスクに対して略一定の間隔を
有する面と、前記略一定の間隔を有する面よりも前記光ディスク近接した突出部を有し、前記突出部は前記光ディスクのデータ記録部分以外の部分に対向する構成にした。
【発明の効果】
【０００７】
これにより本発明の光ピックアップモジュール及び本光ピックアップモジュールを備えた光ディスク装置は、着脱作業時や外部からの衝撃でディスクがトレイ側に歪曲してデータ記録部分にキズを付けることを低減出来、より信頼性の高い光ピックアップモジュール及び光ディスク装置を提供することが出来る。
【発明を実施するための最良の形態】
【０００８】
請求項１記載の発明は、光ディスクを保持し回転駆動させる回転駆動手段と光ディスクにデータを記録するか光ディスクのデータを読み取るかの少なくとも一方を行う光ピックアップを有する光ピックアップモジュールであって、前記光ピックアップモジュールはディスクに対向する側に前記光ピックアップモジュールの少なくとも一部を覆う光ピックアップモジュールカバーを有し、前記光ピックアップモジュールカバーに、前記回転駆動手段とは反対側の外端部近傍に他の部分よりディスク側に突出した突出部を設けたことを特徴とする光ピックアップモジュールによって、着脱作業時や外部からの衝撃でディスクがトレイ側に歪曲してデータ記録部分にキズを付けることを低減出来、より信頼性の高い光ピックアップモジュールを提供することができる。
【０００９】
請求項２記載の発明は、突出部は、装着可能な最大径の光ディスクの、データ記録部分の外縁部のデータ非記録部分に対向していることを特徴とする請求項１記載の光ピックアップモジュールによって、着脱作業時や外部からの衝撃でディスクがトレイ側に歪曲してデータ記録部分にキズを付けることをより効果的に低減できる突起部が形成でき、より信頼性の高い光ピックアップモジュールを提供することができる。
【００１０】
請求項３記載の発明は、光ピックアップモジュールの突出部と他の部分の境界部が、光ディスク装着方向から見て略円弧状の形状部を有することを特徴とする請求項１記載の光ピックアップモジュールによって、着脱作業時や外部からの衝撃でディスクがトレイ側に歪曲してデータ記録部分にキズを付けることをより効果的に低減できる突起部が形成でき、より信頼性の高い光ピックアップモジュールを提供することができる。
【００１１】
請求項４記載の発明は、突出部は少なくとも複数の台形状または山状の突出部によって構成されていることを特徴とする請求項１記載の光ピックアップモジュールによって、突出部の加工性が向上する場合や全体の組み立て性が向上する場合がある。
【００１２】
請求項５記載の発明は、突出部は光ピックアップモジュールカバーとは別体に構成されており、前記光ピックアップモジュールカバーに固定されていることを特徴とする請求項１から請求項４いずれかに１記載の光ピックアップモジュールによって、突出部の形成が容易となり、全体の組み立て性が向上する場合がある。
【００１３】
請求項６記載の発明は、光ディスクを保持し回転駆動させる回転駆動手段と光ディスクにデータを記録するか光ディスクのデータを読み取るかの少なくとも一方を行う光ピックアップを有する光ピックアップモジュールであって、前記光ピックアップモジュールはディスクに対向する側に前記光ピックアップモジュールの少なくとも一部を覆う光ピックアップモジュールカバーを有し、前記光ピックアップモジュールカバーにディスク側の方へ突出した突出部を設けたことを特徴とする光ピックアップモジュールによって、突出部の位置を適正な位置に設定することにより、着脱作業時や外部からの衝撃でディスクがトレイ側に歪曲してデータ記録部分にキズを付けることを低減出来、より信頼性の高い光ピックアップモジュールを提供することができる。
【００１４】
請求項７記載の発明は、請求項１から請求項６いずれかに１記載の光ピックアップモジュールを備えた光ディスク装置によって、着脱作業時や外部からの衝撃でディスクがトレイ側に歪曲してデータ記録部分にキズを付けることを低減出来、より信頼性の高い光ディスク装置を提供することが出来る。
【００１５】
以下、発明を実施するための最良の形態について図を用いて説明する。
【００１６】
図１は本発明の一実施の形態における光ディスク装置の外観図、図２は本発明の一実施の形態における光ディスク装置のトレイ部分の外観図、図３は本発明の一実施の形態における光ディスク装置のトレイ部分の要部断面図、図４は図３の突出部部分拡大図、図５は本発明の別の実施の形態における光ディスク装置のトレイ部分の外観図である。
【００１７】
図１において、光ディスク装置１には筐体２及びトレイ３があり、トレイ３には光ピックアップモジュール４及びベゼル５が構成されている。図１は筐体２からトレイ３を引き出した状態を示している。トレイ３の両側部にはレール部６があり、両側部共にレール７とディスク引き出し方向に摺動自在に嵌合している。また、レール７は筐体２の両側部内面に設けられたレールガイド（図示せず）ともディスク引き出し方向に摺動自在に嵌合しており、トレイ３は筐体２からディスクが着脱出来るよう引き出すことが出来る。光ピックアップモジュール４には光学系を構成した光ピックアップ９とディスクを回転させるスピンドルモータ４ａが設けられている。スピンドルモータ４ａにはディスク装着部４ｂがあり、ディスクを装着し回転駆動させる。ディスク装着部４ｂにディスクを装着するとディスクはディスク装着部４ｂの係止部で係止固定される。
【００１８】
また、光ピックアップモジュール４のディスク側表面には光ピックアップモジュールカバー１０が設けられており、光ピックアップモジュールカバー１０の窓部１０ａから光ピックアップ９が露出している。光ピックアップモジュールカバー１０は薄さと強度の両立の為金属材が望ましく、ステンレスや鉄が好ましい。いずれの場合も指紋の付着を防ぐまたは目立たなくする為に表面処理を行っても良い。また材質に鉄を使用する場合、防錆処理を行うことが望ましい。
【００１９】
光ピックアップモジュール４は、トレイ３に設けられた貫通孔３ａに設けられている。トレイ３の裏面側すなわちディスク装着側とは反対側でトレイ３にダンパー（図示せず）を介して固定されている。ダンパーは光ピックアップモジュール４に加わる外部からの振動を吸収低減するなどの機能を有する。これにより光ピックアップモジュール４はトレイ３に対して微少移動する為、これによって光ピックアップモジュール４とトレイ３が衝突することの無いように光ピックアップモジュール４と貫通孔３ａの間には空隙が設けられている。
【００２０】
ディスク装着部４ｂのディスクのデータ記録側の面と接触し位置決めをする面は、トレイ３のディスク対向面３ｂや光ピックアップモジュールカバー１０の表面に対して、ディスク側に突出している。よってディスクをディスク装着部４ｂに装着した状態においては、反りが所定の規格内にあるディスクは、トレイ３のディスク対向面３ｂや光ピックアップモジュールカバー１０の表面等に接触することはない。また、トレイ３のディスク対向面３ｂや光ピックアップモジュールカバー１０の表面はトレイ３の他の表面に対して光ピックアップ９側に段差を形成している。段差の境界となる側面３ｃはディスクの回転軸方向から見て略円形をなしており、その直径は光ディスク装置１が装着可能なディスクの最大径よりも大きい。よってディスクをディスク装着部４ｂに装着した状態において、ディスクが側面３ｃに接触することはない。
【００２１】
光ピックアップモジュール４のスピンドルモータ４ａが設けられている側とは反対側の一端は、図１において破線で示すようにディスク装着面側から見てトレイ３の裏側に配置されている。側面３ｃに側面欠落部３ｄが設けられており、側面欠落部３ｄを通して、光ピックアップモジュール４のスピンドルモータ４ａが設けられている側とは反対側の一端がトレイ３の裏側に配置されている。光ピックアップモジュール４のディスク側表面に設けられた光ピックアップモジュールカバー１０の一部及び窓部１０ａの一部も同様にトレイ３の裏側に配置されている。前述のように光ピックアップモジュール４はダンパーを介してトレイ３に固定されている為、光ピックアップモジュール４がトレイ３に対してディスク対向面３ｂに垂直な方向に微少移動しても、光ピックアップモジュール４のトレイ３の裏側に配置されている部分が、トレイ３の裏側に衝突することがないように両者の間に空隙が設けられている。
【００２２】
光ピックアップモジュールカバー１０の側面欠落部３ｄ近傍には、突出部１０ｂが設けられている。突出部１０ｂは光ピックアップモジュールカバー１０の他の部分に対し、ディスク側に突出し平面上を成しており、その段差部分１０ｃはスピンドルモータ４ａの回転軸を中心とする略円弧状を成している。また、突出部１０ｂは平板状の光ピックアップモジュールカバー１０から曲げ加工にて形成されており、段差部分１０ｃにディスクに傷を付けるような鋭角部が生じないよう加工形成されている。図２にＢで示す略円弧状を成す段差部分１０ｃの半径は、装着する光ディスクのデータ記録部分の径方向外側にあるデータ非記録部分が開始する径よりも少なくとも大きい。これによってディスク装着状態でディスクが曲がって突出部１０ｂに接触しても、ディスクのデータ記録部分に傷を付けることは回避される。具体的には一般的に使用される１２０ｍｍの光ディスクに対応した光ディスク装置の場合、１１８ｍｍ以上１２０ｍｍ未満であることが望ましい。
【００２３】
図３の要部断面図ではディスクを装着した状態を示している。図４は図３のＣ部の拡大図である。突出部１０ｂのディスク装着側から見た段差量Ｄはディスク１１と光ピックアップモジュールカバー１０間の間隔Ｅと、ディスク１１と光ピックアップモジュールカバー１０の突出部１０ｂ間の間隔Ｆから設定されるが、ディスク１１の反りなどによる面振れ量を考慮してＦは０．８ｍｍ以上、Ｄは０．２ｍｍ以上であることが望ましい。
【００２４】
なお、本実施の形態では、突出部１０ｂは平板状の光ピックアップモジュールカバー１０から曲げ加工にて形成されていたが、光ピックアップモジュールカバー１０に突出部１０ｂを形成する別部材を取り付けたものであっても良い。例えば突出部１０ｂを形成する樹脂部材を光ピックアップモジュールカバー１０に接着したものであってもよい。また、液体状の樹脂部材を塗布し、硬化させることによって突出部１０ｂを形成するものであっても良い。この場合、液体状の樹脂部材として紫外線硬化樹脂を使用しても良い。また、本実施の形態では、突出部１０ｂが側面欠落部３ｄを通してトレイ３の裏側まで延びているが、このように突出部１０ｂを形成する別部材を取り付ける構成の場合、突出部１０ｂはトレイ３の裏側まで延びていなくても良い。いずれの場合も、突出部１０ｂにおいて装着された光ディスクが曲がって接触する部分のスピンドルモータ４ａの回転軸からの距離は、光ディスクのデータ記録部分の径方向外側にあるデータ非記録部分が開始する径よりも少なくとも大きい。いずれの場合も、突出部の形成が容易となり、全体の組み立て性が向上する場合がある。
【００２５】
また、突出部の形状は図５に示すように、複数の突出部１０ｄで構成されるものであっても良い。光ピックアップモジュールカバー１０の材質によってはこの方が加工性が向上する場合があり、また組み立て性が向上する場合がある。個々の突出部１０ｄのディスクと接触する部分は、点で接触する形状であっても面で接触する形状であっても良い。いずれの場合も、突出部１０ｄにおいて装着された光ディスクが曲がって接触する部分のスピンドルモータ４ａの回転軸からの距離は、光ディスクのデータ記録部分の径方向外側にあ
るデータ非記録部分が開始する径よりも少なくとも大きい。個々の突出部１０ｄは光ピックアップモジュールカバー１０の曲げ加工にて形成されていてもよく、光ピックアップモジュールカバー１０に突出部１０ｄを形成する別部材を取り付けたものであっても良い。例えば突出部１０ｄを形成する樹脂部材を光ピックアップモジュールカバー１０に接着したものであってもよい。また、液体状の樹脂部材を塗布し、硬化させることによって突出部１０ｄを形成するものであっても良い。この場合、液体状の樹脂部材として紫外線硬化樹脂を使用しても良い。いずれの場合も、突出部１０ｄにおいて装着された光ディスクが曲がって接触する部分のスピンドルモータ４ａの回転軸からの距離は、光ディスクのデータ記録部分の径方向外側にあるデータ非記録部分が開始する径よりも少なくとも大きい。
【産業上の利用可能性】
【００２６】
光ディスク装置など、着脱可能なディスクにデータの記録や再生の少なくとも一方を行うディスク装置に効果的に適用できる。
【図面の簡単な説明】
【００２７】
【図１】本発明の一実施の形態における光ディスク装置の外観図
【図２】本発明の一実施の形態における光ディスク装置のトレイ部分の外観図
【図３】本発明の一実施の形態における光ディスク装置のトレイ部分の要部断面図
【図４】図３の突出部部分拡大図
【図５】本発明の別の実施の形態における光ディスク装置のトレイ部分の外観図
【図６】従来の光ディスク装置の斜視図
【符号の説明】
【００２８】
１    光ディスク装置
２    筐体
３    トレイ
３ａ    貫通孔
３ｂ    ディスク対向面
３ｃ    側面
３ｄ    側面欠落部
４    光ピックアップモジュール
４ａ    スピンドルモータ
４ｂ    ディスク装着部
５    ベゼル
６    レール部
７    レール
８    レールガイド
９    光ピックアップ
１０    光ピックアップモジュールカバー
１０ａ    窓部
１０ｂ    突出部
１０ｃ    段差部分
１０ｄ    突出部
１１    ディスク
１２    突出部
【図１】
2005078770.tif 000003
【図２】
2005078770.tif 000004
【図３】
2005078770.tif 000005
【図４】
2005078770.tif 000006
【図５】
2005078770.tif 000007
【図６】
2005078770.tif 000008